(57)【要約】【課題】角度調整機構を使用することなく安価な構成で、光源手段の出射端と受光手段に対するプリズムの相対角度を常に一定になるようにした。【解決手段】表面プラズモン共鳴センサ１は、表面１０ａに金属薄膜２を形成したプリズム１０を一端面側に一体に設けた平板状のセンサチップ２０を備え、センサチップ２０にプリズム１０の表面１０ａに到達する貫通孔２４を形成し、プリズム１０を固定面１０ｂで密着させて固定するプリズム固定台５１を設け、貫通孔２４内を挿入出可能とする押さえ部材５２を設けている。プリズム１０を押さえ部材５２によってプリズム固定台５１に押し付けて配置させ、プリズム１０と光ファイバ３０の出射端３０ａと受光センサ４０との相対角度が一定となるように構成した。【選択図】図１
2007155477.tif 000002
【特許請求の範囲】
【請求項１】
表面に金属薄膜を形成したプリズムを一端面側に接着又は非接着させた状態で一体に設けた平板状のセンサチップを備え、前記プリズムを通して前記金属薄膜に光源手段より一定角度で入射光を照射させ、前記金属薄膜で反射した光を受光手段で検出してなる表面プラズモン共鳴センサであって、
前記センサチップに、前記プリズムの表面に到達する貫通孔を形成し、
前記プリズムを、該プリズムの表面と反対側の固定面で密着させて固定するプリズム固定台を設け、
該貫通孔内を挿入出可能とする押さえ部材を設け、
前記プリズムを前記押さえ部材によって前記プリズム固定台に押し付けて配置させることで、前記プリズムと、前記光源手段の出射端と、前記受光手段との相対角度が常に一定となるように構成されていることを特徴とする表面プラズモン共鳴センサ。
【請求項２】
前記プリズムの入射面の法線と前記入射光とのなす角度が前記光源手段の出射端からの出射角度よりも大きくなることを特徴とする請求項１に記載の表面プラズモン共鳴センサ。
【請求項３】
前記光源手段が光ファイバであることを特徴とする請求項１又は２に記載の表面プラズモン共鳴センサ。
【請求項４】
前記光源手段が偏波保持光ファイバであることを特徴とする請求項１又は２に記載の表面プラズモン共鳴センサ。
【請求項５】
前記プリズムを密着させる前記プリズム固定台のプリズム基準面に対して前記プリズムの表面が平行になることを特徴とする請求項１乃至４のいずれかに記載の表面プラズモン共鳴センサ。
【請求項６】
前記センサチップには、前記金属薄膜に検体が直接接触するように流れる検体流路が形成されていることを特徴とする請求項１乃至５のいずれかに記載の表面プラズモン共鳴センサ。
【請求項７】
前記プリズムの側面を押圧して水平方向の位置を調整する側面押さえ部材が設けられていることを特徴とする請求項１乃至６のいずれかに記載の表面プラズモン共鳴センサ。
【請求項８】
前記金属薄膜の表面には、増感剤又は角度調整用の試薬が塗布されていることを特徴とする請求項１乃至７のいずれかに記載の表面プラズモン共鳴センサ。
【発明の詳細な説明】
【技術分野】
【０００１】
本発明は、光源からの出射光を検体に照射し、検体からの反射光あるいは検体を透過した透過光から、検体に係る情報を取得する表面プラズモン共鳴センサに関する。
【背景技術】
【０００２】
従来、光学センサの１つである表面プラズモン共鳴センサ（以下、ＳＰＲセンサと記載する）は、表面プラズモン共鳴（以下、必要に応じてＳＰＲと記載する）を用いて金属薄膜上の物質の誘電率を測定するものであり、感度が高いことと、その場で観察ができることなどから、近年、物質センサとして頻繁に用いられている。このＳＰＲセンサとしては、例えば特許文献１に開示されているものがある。
特許文献１は、誘電体中を伝搬してきたある波長のＰ偏光が金や銀などの金属をコーティングした面で反射するときに、特定の角度（共鳴角）で、金属表面の自由電子の粗密波（プラズモン）と共鳴して吸収されるため、出射光の強度が減少されることを応用したセンサである。この共鳴角は、金属表面（誘電体と反対側の面）にある物質（検体）の屈折率に依存することは周知のとおりである。
【０００３】
このことから明らかなように、金属表面への入射角度の測定精度がセンサの精度となっている。実際のデバイスで用いられる透明な誘電体はガラスやアクリルなどが用いられ、これらの屈折率は１．４〜１．５程度である。このため、誘電体と測定光出射部分、誘電体と測定光受光部分の間に空気が入る場合、すなわち誘電体、出射部分、受光部分が一体でない場合には、金属表面での反射光を誘電体の外に取り出すために、誘電体は、特許文献１のような断面三角形状や断面半円弧状の形状であることが必要となる。ＳＰＲセンサは、光が検体中を透過しなくても検体の濃度測定が可能であることから血液のように光を通さない物質の濃度測定にも適用することができる。
【０００４】
通常用いられるＳＰＲセンサによる測定は、レンズなどを用いて集光させることで、微小領域の検体の変化を測定することを可能にしている。光ファイバの導光コアの先端部を加工するＳＰＲセンサが例えば特許文献２に開示されている。
特許文献２は、数μｍ程度の導光コアの径を導光方向に対し尖鋭化したセンサヘッドに作成したものである。このような光ファイバの出射端面を点光源として用いることにより、所望の微小領域を計測することが可能となる。しかしながら、直径数μｍの領域において角度を精度良く加工しなければならないことから製作が困難であった。
さらに、光ファイバからの出射光は、導光コアの屈折率分布によって出射角度が制限されるため、プリズムの位置と出射端の角度精度が重要となっている。
【０００５】
そこで、これまでのＳＰＲ装置では、誘電体（プリズム）、出射部分、受光部分が一体となったものや角度調整機構を有する装置を用いることで、この角度を一定に保ってきた。しかし、血液センサのようなディスポーザブルの用途に使用する場合は、誘電体、出射部分、受光部分が一体となったものはコストが高くなるという欠点があった。ディスポーザブルな用途に使用されるものとして、例えば特許文献３に開示されているものがある。
特許文献３は、測定チップの下面にプリズムを固着させたプリズム付きチップが提案されたものであり、使用後にはプリズム付きチップ毎、新しいものに交換することができるものである。
【特許文献１】特許第２７５８９０４号公報
【特許文献２】特開２００１−１６５８５２号公報
【特許文献３】特開２０００−９７８４８号公報
【発明の開示】
【発明が解決しようとする課題】
【０００６】
しかしながら、特許文献３はプリズム付きチップを交換する度にプリズムと光ファイバ端面との角度を合わせる必要があった。この角度合わせは、角度調整機構を使用することになり、この角度調整機構自体が高価であることからＳＰＲセンサのコストアップの要因になるという問題があった。
【０００７】
本発明は、このような事情に鑑みなされたものであって、角度調整機構を使用することなく安価な構成で、光源手段の出射端と受光手段に対するプリズムの相対角度を常に一定になるようにした表面プラズモン共鳴センサを提供することを目的とする。
【課題を解決するための手段】
【０００８】
上記目的を達成するため、本発明に係る表面プラズモン共鳴センサは、表面に金属薄膜を形成したプリズムを一端面側に接着又は非接着させた状態で一体に設けた平板状のセンサチップを備え、前記プリズムを通して前記金属薄膜に光源手段より一定角度で入射光を照射させ、前記金属薄膜で反射した光を受光手段で検出してなる表面プラズモン共鳴センサであって、前記センサチップに、前記プリズムの表面に到達する貫通孔を形成し、前記プリズムを、該プリズムの表面と反対側の固定面で密着させて固定するプリズム固定台を設け、該貫通孔内を挿入出可能とする押さえ部材を設け、前記プリズムを前記押さえ部材によって前記プリズム固定台に押し付けて配置させることで、前記プリズムと、前記光源手段の出射端と、前記受光手段との相対角度が常に一定となるように構成されていることを特徴としている。
【０００９】
また、本発明に係る表面プラズモン共鳴センサは、前記プリズムの入射面の法線と前記入射光とのなす角度が前記光源手段の出射端からの出射角度よりも大きくなることが好ましい。
【００１０】
また、本発明に係る表面プラズモン共鳴センサは、前記光源手段が光ファイバであることが好ましい。
【００１１】
また、本発明に係る表面プラズモン共鳴センサは、前記光源手段が偏波保持光ファイバであることが好ましい。
【００１２】
また、本発明に係る表面プラズモン共鳴センサは、前記プリズムを密着させる前記プリズム固定台のプリズム基準面に対して前記プリズムの表面が平行になることが好ましい。
【００１３】
また、本発明に係る表面プラズモン共鳴センサは、前記センサチップには、前記金属薄膜に検体が直接接触するように流れる検体流路が形成されていることが好ましい。
【００１４】
また、本発明に係る表面プラズモン共鳴センサは、前記プリズムの側面を押圧して水平方向の位置を調整する側面押さえ部材が設けられていることが好ましい。
【００１５】
また、本発明に係る表面プラズモン共鳴センサは、前記金属薄膜の表面には、増感剤又は角度調整用の試薬が塗布されていることが好ましい。
【発明の効果】
【００１６】
本発明に係る表面プラズモン共鳴センサによれば、押さえ部材によってセンサチップに一体に設けられたプリズムを押圧させる簡単な構造により、プリズムをプリズム固定台に密着させて確実に精度よく固定し、所定の位置、角度で配置させることができる。これにより、光源手段の出射端と受光手段に対するプリズムの相対角度を常に一定に保つことができ、繰り返し正確な測定を行なうことができる。
そして、従来のような高価な角度調整機構を必要としない構成であることから、表面プラズモン共鳴センサのコストを低減することができる。
【発明を実施するための最良の形態】
【００１７】
以下、本発明による表面プラズモン共鳴センサの第一の実施の形態について、図面を参照しながら説明する。
なお、図１は本発明の第一の実施の形態による表面プラズモン共鳴センサを示す図であって、（ａ）はその立断面図、（ｂ）はその平面図、図２（ａ）、（ｂ）はプリズムと入射光のなす角度の関係を示す図である。
【００１８】
図１（ａ）および（ｂ）に示すように、本第一の実施の形態による表面プラズモン共鳴センサ１（以下、ＳＰＲセンサ１と記載することもある）は、被検試料（検体）を接触させる表面プラズモン励起用の金属薄膜２を表面１０ａにコーティングさせたプリズム１０と、プリズム１０を一端面側に一体に設けた平板状のセンサチップ２０と、光源３１からの出力光を入射してプリズム１０の金属薄膜２に照射する光を出力する光ファイバ３０（光源手段）と、金属薄膜２で反射した光の強度変化を検出する受光センサ４０（受光手段）と、プリズム１０を所定位置に配置して保持するプリズム保持機構５０とから概略構成されている。
プリズム保持機構５０は、プリズム１０をその固定面１０ｂで密着させて固定するプリズム固定台５１と、プリズム１０をプリズム固定台５１側に押圧する押さえ部材５２とからなる。
また、本表面プラズモン共鳴センサ１には、センサチップ２０を載置或いは固定させて所定位置に配置するためのチップ支持台６０が設けられている。
ここで、以下、必要に応じてプリズム１０を装着したセンサチップ２０をプリズム付きチップ２０とも言う。
【００１９】
金属薄膜２は、プリズム１０の表面１０ａに、例えば金又は銀などの材料をコーティングさせた反射面をなしている。なお、金属薄膜２の表面には、屈折率の変化を大きくするための増感剤や、屈折角度を測定範囲内に収めるように調整するために予め試薬を塗付しておくことも可能である。そして、金属薄膜２には、特定の蛋白質、糖などと結合する試薬（検体）がセンサチップ２０の検体流路２５（後述）により供給される。そして、表面プラズモン共鳴測定を行う被検試料の交換は、プリズム付きチップ２０の交換によって簡単に行える。
【００２０】
図１（ａ）及び（ｂ）に示すように、プリズム１０は、その表面１０ａと固定面１０ｂとが平行をなし、入射面１０ｃ、と出射面１０ｄに所定の角度をもたせた断面視左右対称な台形状に形成されている。つまり、入射面１０ｃ及び出射面１０ｄは、表面１０ａに対して夫々同一角度をなしている。
【００２１】
光源３１としては、ガスレーザや固体レーザといった、高価で大掛かりな機器を用いる必要は無く、小型で低コストのものを用いることができる。採用可能な光源３１としては、例えば半導体レーザ等のコヒーレント光源、あるいは、発光ダイオード（ＬＥＤ：Light Emitting Diode）、ランプ等のインコヒーレント光源のいずれでも良い。
【００２２】
光ファイバ３０としては、周知の光源用偏波保持光ファイバを採用し（以下、光ファイバ３０を、偏波保持光ファイバ３０とも言う）、出射端３０ａからＰ偏光の光が出射されるようにしてある。この偏波保持光ファイバ３０は、いわゆるＰＡＮＤＡ型光ファイバ（ＰＡＮＤＡ：Polarization-maintaining AND Absorption reducing）である。そして、偏波保持光ファイバ３０は、光源３１からの入射光の内、直線偏光以外の偏光状態の光を直線偏光に変換する、偏光フィルタの如く機能させることができる。
【００２３】
受光センサ４０としては、例えば単一画素の受光素子を用いたものが採用される。この受光センサ４０は、プリズム１０（正確にはプリズム１０に形成した金属薄膜２）に対する位置、向きが一定となるように設置される。
【００２４】
ここで、ＳＰＲセンサ１におけるプリズム１０と光ファイバ３０との設置位置について説明する。
図１（ａ）に示すように、光ファイバ３０は、出射端３０ａ（プリズム１０側の端部。光源３１とは逆側の端部）からの出射光をプリズム１０に対して一定の角度で出射できるように配置される。そして、光ファイバ３０の金属薄膜２に対する位置は常に一定且つ固定された状態となっている。
プリズム１０と光ファイバ３０（正確には出射端３０ａ）との設置位置は、両者１０、３０の相対角度において、金属薄膜２をなす反射面への入射光の入射角度（図２に示すθ）が水の共鳴角度（例えば６５°程度）となるように設定する。
光ファイバ３０による出射光の広がりは±５°程度の角度寸法である。この広がり角度は、例えば屈折率１．５程度のアクリル製の材料からなる正三角形のプリズムに入射した場合には、金属薄膜をコーティングした反射面への入射角度で±３°程度にあたる。すなわち、表面プラズモン共鳴ピークが測定中心角度±３°以内であれば角度を検知できることから、本ＳＰＲセンサ１は可動部分などを有しないきわめて簡単な構造で表面プラズモン共鳴ピークを測定できる。
【００２５】
図１（ａ）及び（ｂ）に示すように、センサチップ２０は、二枚の薄板からなり、上側チップ２１（プリズム１０の配置側と反対側）と下側チップ２２（プリズム側）とが貼り合わされて形成されている。
センサチップ２０は、プリズム１０の上部（表面１０ａ）を収容するようにして嵌合させる嵌合部２３を形成し、この嵌合部２３にプリズム１０の上部を非接着又は分離した状態で嵌合させて一体に設けた構成となっている。
【００２６】
そして、プリズム付きチップ２０には、その上面２０ａからプリズム１０の表面１０ａに到達され、センサチップ２０の厚さ方向に貫通する貫通孔２４が複数（本実施の形態では８箇所）形成されている。センサチップ２０における貫通孔２４の位置は、図１（ｂ）に示す平面視でプリズム１０に形成された金属薄膜２の位置をずらして配置され、貫通孔２４の真下にプリズム１０の表面１０ａとなる。
【００２７】
また、上側チップ２１の合わせ面２１ａには、プリズム１０の金属薄膜２に薬品などの試料（検体）が直接接触するように流れる溝状の検体流路２５が形成されている。この検体流路２５は、センサチップ２０の上面２０ａの所定の位置に設けられた検体入口部２６に接続される。そして、この検体入口部２６からセンサチップ２０内に試料が流入されることになる。
【００２８】
プリズム固定台５１は、上面をなすプリズム基準面５１ａに対してプリズム１０の表面１０ａ及び固定面１０ｂが平行になるように設けられている。そして、このプリズム固定台５１は、光ファイバ３０（出射端３０ａ）及び受光センサ４０に対して一定の相対角度となるようにプリズム１０を配置できる位置に固定される。
【００２９】
次に、プリズム保持機構５０の押さえ部材５２について説明する。
図１（ａ）及び（ｂ）に示すように、押さえ部材５２は、貫通孔２４の孔径より小径をなす円筒状の円筒部材５２ａと、円筒部材５２ａのプリズム１０側の先端（一端）に固着した押圧部５２ｂとからなる。そして、押さえ部材５２は、他端側が例えば図示しない昇降器に取り付けられ、貫通孔２４内をプリズム１０の表面１０ａを押圧させる方向に挿入出可能に設けられている。
【００３０】
このように構成される押さえ部材５２は、プリズム付きチップ２０をチップ支持台６０の所定位置に載置又は固定させた状態で、プリズム固定台５１のプリズム基準面５１ａの上方にプリズム１０が配置される。そして、貫通孔２４に押さえ部材５２を挿通させ、その押圧部５２ｂでプリズム１０の表面１０ａを押圧させる。そうすると、プリズム１０の固定面１０ｂとプリズム固定台５１のプリズム基準面５１ａとが密着する。プリズム１０は光学精度で作成されているため、プリズム固定台５１のプリズム基準面５１ａに対してプリズム１０の表面１０ａ（すなわち金属薄膜２を有する測定面）を平行にすることができる。
なお、押さえ部材５２による押圧は、検査中、プリズム１０の位置が動かないように押圧状態を維持しておく。
このように、プリズム保持機構５０を設けることで、プリズム１０と、光ファイバ３０の出射端３０ａと、受光センサ４０との相対角度を常に一定にすることができる。
【００３１】
また、押さえ部材５２は、センサチップ２０にかかわらず独立してプリズム１０のみを押圧させることができる。このため、例えばセンサチップ２０の寸法に製作誤差がある場合であっても、プリズム１０は、光ファイバ３０や受光センサ４０の設置位置に対して常に所定の位置、角度をもって配置することができる。
つまり、プリズム１１の固定面１１ｂがプリズム固定台５１のプリズム基準面５１ａに密着した状態で保持されていればよく、この際、センサチップ２０は高度な精度をもっての角度調整を行なう必要がない。また、センサチップ２０を高精度に仕上げる必要がなくなり、センサチップ２０の加工コストを低減することができる。
【００３２】
なお、図１（ｂ）に示すように、押さえ部材５２は、貫通孔２４と同数を設け、プリズム１０の表面１０ａに対して複数箇所で押圧することが好ましい。
また、プリズム付きチップ２０は、例えば図示しないケースなどに収納させておき、ＳＰＲセンサ１にこのプリズム付きチップ２０をセットする際に、プリズム１０の固定面１０ｂを前記ケースから露出させるようにしてプリズム固定台５１に密着させて配置させる構造としてもよい。
【００３３】
次に、プリズム１０と入射光のなす角度について図２に基づいて具体的に説明する。
図２（ａ）に示すように、金属薄膜２への測定光の入射角度θは、プリズム側面の角度θｐ、プリズム１０の屈折率をｎとして、θ＋、θ−を図２（ａ）のようにすると、
θ−側では、
θ＝θｐ−ｓｉｎ−１（ｓｉｎθ−／ｎ）    ・・・・・・（１）
θ＋側では、
θ＝θｐ＋ｓｉｎ−１（ｓｉｎθ＋／ｎ）    ・・・・・・（２）
となる。
そのために、図２（ｂ）に示すように、光ファイバ３０からの出射角度が、±θδである場合、光ファイバ３０とプリズム１０の法線がなす角をθｉとすると、
θｉ＞θδ    ・・・・・・（３）
のときは、上述した（２）式のみでθを計算することが可能であり、
θｉ＞−θδ  ・・・・・・（４）
のときは、上述した（１）式のみでθを計算することが可能である。
このようにθｉの絶対値がθδより大きいことが好ましい。なお、−θδ＜θｉ＜θδでは、（１）式及び（２）式をθｉ＝０で切り替える必要があり、式が複雑化して好ましくない。
【００３４】
なお、本第一の実施の形態ではプリズム１０（図１（ａ）参照）の形状を断面台形状としているが、これに代えて図３に示すような断面略四角形状の第二のプリズム１１に適用することも可能である。この第二のプリズム１１は、入射面１１ｃ及び出射面１１ｄがプリズム固定台５１のプリズム基準面５１ａに対して略直交方向をなす形状となる。
この第二のプリズム１１では、金属薄膜２に照射させる入射角度が台形状のプリズム１０の場合と変わることから、第二のプリズム１１と光ファイバ３０（出射端３０ａ）と受光センサ４０とが第二のプリズム１１に対応した所定の相対角度となるように各々が配置されることになる。
【００３５】
上述したように第一の実施の形態による表面プラズモン共鳴センサ１では、押さえ部材５２によってセンサチップ２０に一体に設けられたプリズム１０を押圧させる簡単な構造により、プリズム１０をプリズム固定台５１に密着させて確実に精度よく固定し、所定の位置、角度で配置させることができる。これにより、光ファイバ３０の出射端３０ａと受光センサ４０に対するプリズム１０の相対角度を常に一定に保つことができ、繰り返し正確な測定を行なうことができる。
そして、従来のような高価な角度調整機構を必要としない構成であることから、表面プラズモン共鳴センサ１のコストを低減することができる。
【００３６】
次に、本発明の表面プラズモン共鳴センサの第二及び第三の実施の形態について、図４、図５に基づいて説明するが、上述の第一実施の形態と同一又は同様な部材、部分には同一の符号を用いて説明を省略し、第一の実施の形態と異なる構成について説明する。
図４（ａ）、（ｂ）は本発明の第二の実施の形態による表面プラズモン共鳴センサを示す立断面図である。
図４（ａ）に示すように、第二の実施の形態による表面プラズモン共鳴センサ１では、第一の実施の形態と同様の断面視略台形のプリズム１０が採用されたものである。プリズム付きチップ２０は、プリズム１０の上端周縁部１０ｅをセンサチップ２０の嵌合部２３に接着させてセンサチップ２０に一体化されている。
この構造では、プリズム１０を押さえ部材５２でプリズム固定台５１に押し付けて保持させたとき、センサチップ２０はプリズム１０に合わせた傾きとなる。このため、センサチップ２０は、チップ支持台６０（図１（ａ）参照）に対して密着した固定状態になるとは限らないが、プリズム１０自体は所定の位置に保持されているため本ＳＰＲセンサ１による計測に影響を与えることはない。このため、図４ではチップ支持台を省略している。
また、図４（ｂ）に示すように、本第二の実施の形態では、台形状のプリズム１０に代えて断面視略四角形をなす第二のプリズム１１を採用してもかまわない。
【００３７】
次に、図５は本発明の第三の実施の形態による表面プラズモン共鳴センサを示す立断面図である。
図５に示すように、第三の実施の形態による表面プラズモン共鳴センサ１は、第一及び第二の実施の形態のプリズム１０、１１の表面１０ａ、１１ａ（図１、図４参照）を押さえ部材５２によって押圧してプリズム固定台５１に固定しているが、これに加え、プリズム１０の側面１０ｆ（入射面１０ｃ、出射面１０ｄを含む）を押圧させる側面押さえ部材５３を設けている。
これによると、プリズム１０の側面１０ｆを側面押さえ部材５３で押圧することで、プリズム１０を略水平方向（プリズム１０の表面１０ａを押圧する押さえ部材５２の押圧方向に対して略直交する方向）に位置を移動させることができる。
【００３８】
以上、本発明による表面プラズモン共鳴センサの第一乃至第三の実施の形態について説明したが、本発明は上記の第一乃至第三の実施の形態に限定されるものではなく、その趣旨を逸脱しない範囲で適宜変更可能である。
例えば、本第一乃至第三の実施の形態では金属薄膜２に照射させる入射光を出射する光源手段に光ファイバ３０を設けているが、これに限定されることはなく、従来のような集光レンズを使用した光源を適用してもかまわない。
また、本第一の実施の形態では貫通孔２４が８箇所形成されているが、貫通孔２４の数量、また配置箇所は、プリズムの形状、寸法などに合わせて適宜設定すればよい。
また、本第一乃至第三の実施の形態ではプリズム１０、１１をセンサチップ２０に対して嵌合させて一体に設けているが、この嵌合させる構造に限定されることはない。要は、プリズム１０、１１とセンサチップ２０とが一体化された状態で、センサチップ２０に形成された貫通孔２４内に押さえ部材５２を挿通させてプリズム１０の表面１０ａを押圧させる構造であればよいのである。
【図面の簡単な説明】
【００３９】
【図１】本発明の第一の実施の形態による表面プラズモン共鳴センサを示す図であって、（ａ）はその立断面図、（ｂ）はその平面図である。
【図２】（ａ）、（ｂ）はプリズムと入射光のなす角度の関係を示す図である。プリズムにおける入射光の向きの関係を示す図である。
【図３】第一の実施の形態の変形例によるに表面プラズモン共鳴センサを示す立断面図である。
【図４】（ａ）、（ｂ）は本発明の第二の実施の形態による表面プラズモン共鳴センサを示す立断面図である。
【図５】本発明の第三の実施の形態による表面プラズモン共鳴センサを示す立断面図である。
【符号の説明】
【００４０】
１…表面プラズモン共鳴センサ、２…金属薄膜、１０…プリズム、１０ａ…表面、１０ｂ…固定面、２０…センサチップ、２３…嵌合部、２４…貫通孔、２５…検体流路、３０…光ファイバ（光源手段）、３０ａ…出射端、３１…光源、４０…受光センサ（受光手段）、５１…プリズム固定台、５１ａ…プリズム基準面、５２…押さえ部材、５３…側面押さえ部材、６０…チップ支持台
【図１】
2007155477.tif 000003
【図２】
2007155477.tif 000004
【図３】
2007155477.tif 000005
【図４】
2007155477.tif 000006
【図５】
2007155477.tif 000007